(57)【要約】【課題】缶蓋のパネル部を広い範囲に渡って易開口させることができて内容物の取り出しが容易であり、タブ・パネルを把手として安全に利用することができるとともに、タブ・パネルが缶蓋から分離することを確実に防ぐことができ、かつ構造が簡単な易開口缶蓋を提供する。【解決手段】パネル部４の外縁に沿ったスコアが、パネル部外縁に、一部に非スコア部を残して、ほぼ円形に成形されており、スコア終縁のスコアの平面形状が、小さな円弧になるように成形され、タブ２０を持ち上げることによってスコア切れが進行し、開口の最終段階で開口片１２の折れ曲がる最終位置を決定する折り目線とを有することを特徴とする易開口缶蓋。【選択図】  図１
2009173297.tif 000002
【特許請求の範囲】
【請求項１】
環状縁部の内側にパネル部を持つパーシャルオープン形式の缶蓋であって、タブを取付けたパネル部の外周縁上に前記パネル部と前記環状縁部との分離を可能にする易開口スコアが前記環状縁部との非分離による連続を保つ非スコア部を残して形勢され、
前記易開口スコアの前記非スコア部寄りの終端部の半径が前記易開口スコアの他の部分の半径よりも小さい曲線をなしており、
前記非スコア部に形成されていて前記易開口スコアで分離されたパネル部分の折り曲げを案内する折り目線を有することを特徴とする易開口缶蓋
【請求項２】
上記タブの材質が、ステンレス材で構成されていることを特徴とする請求項１に記載の易開口缶蓋。
【請求項３】
前記折り目線が、該スコアとは離れたスコアで構成されていることを特徴とする請求項１または請求項２に記載の易開口缶蓋。
【請求項４】
前記易開口スコアは前記終端部においてスコア終端に向って順次または段階的にスコア残厚が増加するように構成されていることを特徴とする請求項１から３のいずれか記載の易開口缶蓋。
【請求項５】
前記易開口スコアは前記スコア終端部においてカールして向きを反転させている部分を有することを特徴とする請求項１から４のいずれか記載の易開口缶蓋。
【請求項６】
パネル部分の面積が前記パネル部の面積の９９％以上であることを特徴とする請求項１から５のいずれか記載の易開口缶蓋
【請求項７】
前記折り目線はパネル部に残厚０．１５〜０．２５ｍｍのスコアを形成したものであることを特徴とする請求項１から６のいずれか記載の易開口缶蓋。
【発明の詳細な説明】
【技術分野】
【０００１】
本発明は、缶容器の天板側に巻締められている易開口缶蓋に関し、特に缶蓋パネル部の広い領域を、タブ操作により、開口させ、中身を取り出し易くした缶蓋に関する。
【背景技術】
【０００２】
缶詰は上端が開口した缶胴に内容物を充填した後、缶蓋を巻き締めて取り付け、缶胴の開口を閉じて構成され、内容物を取り出す場合には、缶蓋のタブを引いて缶蓋をスコアから引き裂いて開口させる。中身が肉、魚、果実等の固形物を含む内容物とする缶詰めの易開口蓋においては、中身を取り出すに便利なように、開口面積はなるべく大きくすることが好ましく、また飲料缶同様、開口片が散乱すると、危険でもあるし、資源回収が困難であるため、缶本体から、タブ・蓋は切り離さない形式の缶蓋が開発されて来ている。また、逆にタブ部分を把手として、中身を出す時に利用したり、戸外で暖めて中身を直接食べる、例えば、ラーメン・おでん・焼き鳥などでは、タブ部分を熱くならないようにして、ここを持って食べるには、タブは誠に重宝する。
このようなことからタブ部分を把手として利用する缶蓋が開発されて来ており、そのような缶蓋は、次の特許文献１、２に示されている。
【０００３】
【特許文献１】特開２００４−１５５４８０
【特許文献２】特開２００５−１３８８５２
【発明の開示】
【発明が解決しようとする課題】
【０００４】
しかるに特許文献１に示されている缶蓋は易開口スコアが缶蓋パネルの半分ほどまでしか形成されず、かつ開口したパネル部を把手として折り返す折れ目線がパネル部の中央に形成されているので、結局、缶蓋パネル部の半分しか開口させることができず、固形の内容物の取り出しには不便がある。そこで缶蓋をほとんどフルオープンに近い状態まで開口させるための技術として特許文献２に示されている缶蓋が開発されている。
しかし特許文献２の缶蓋はスコアがパネルの外縁周をほとんど一周して５０％〜９９％の部分を開口させることができるのであるが、スコアの終端とパネル部を折り返す折れ目線とが接続しているので、スコアを切る動作の力があまって折り目線を切ってパネルが缶蓋から分離する可能性がある。この分離を防ぐために、スコア部の耐破断強度を増大したり、折曲誘導線の前後にビードを設けるのであるが、これが缶蓋の形状を複雑にする原因になっている。
この発明は上記の如き事情に鑑みてなされたものであって、缶蓋のパネル部を広い範囲に渡って易開口させることができて内容物の取り出しが容易であり、タブを把手として安全に利用することができるとともに、タブ・パネルが缶蓋から分離することを確実に防ぐことができ、かつ構造が簡単な易開口缶蓋を提供することを目的とするものである。
【課題を解決するための手段】
【０００５】
この目的に対応して、この発明の易開口缶蓋は、巻締めフランジに連続する環状縁部の内側にパネル部を持つパーシャルオープン形式の缶蓋であって、タブを取付けたパネル部の外周縁上に前記パネル部と前記環状縁部との分離を可能にする易開口スコアが前記環状縁部との非分離による連続を保つ非スコア部を残して形勢され、
前記易開口スコアの前記非スコア部寄りの終端部の半径が前記易開口スコアの他の部分の半径よりも小さい曲線をなしており、
前記非スコア部に形成されていて前記易開口スコアで分離されたパネル部分の折り曲げを案内する折り目線を有することを特徴としている。
【発明の効果】
【０００６】
請求項１に記載の発明によれば、パネル部の開口面積がパネル部の大部分になり、タブを引き上げることによって、パネルのほぼ全領域が開口されるので内容物の取り出しがきわめて容易である。
【０００７】
スコアの終端部は平面形状が小さな半径の曲線または円弧をなしているので、この部分で易開口スコアの切断の進行が確実に停止するので、タブ及び開口片の缶蓋からの分離を防ぐことができる。
【０００８】
請求項２に記載の発明によれば、タブ材が熱伝導率の低い材料で構成されているので、加熱した缶詰から内容物を取り出すときにも、タブ材は高温にならず、安全な把手として利用することができる。
【０００９】
請求項３に記載の発明によれば易開口スコアの終端部が折り目線とは連結せず、分離しているので、易開口スコアの切断が進行しても、折り目線には伝達されず、折り目線が切断されることはないので、タブ及び開口片が缶詰から分離せず、また折り目線が健全な状態に保たれるので、把手を形成するためのパネル部の折り返しの案内として確実に機能する。
【００１０】
請求項４に記載の発明によれば、易開口スコアの終端部では、易開口スコアの残厚を漸増させて切開に対する抵抗感を変化させているので、使用者は易開口スコアの終端位置を予測することができ、開口操作が容易かつ確実になる。
【００１１】
請求項５に記載の発明によれば、易開口スコアの終端部では向きが反転するので易開口スコアの切断を確実に止めることができる。
【００１２】
請求項６に記載の発明によれば缶蓋のパネル部の９９％以上が易開口スコアによって開口するので、広い開口を形成することができ、内容物の取り出しが容易である。
【００１３】
請求項７に記載の発明によれば、折り目線のスコアの残厚を０．１５〜０．２５ｍｍとしたので、把手を形成するためのパネルの折り返しが容易である。
【発明を実施するための最良の形態】
【００１４】
以下この発明の詳細を実施の最良の形態について図面を参照しつつ説明する。
図１においては、１は缶詰であり、缶詰１は上端開放の缶胴２と、その缶胴２の上端開放部を閉じる缶蓋３とを有していて、内容物を充填した後、缶胴２のフランジ部に缶蓋３のカール６を巻き締めして上端開放部を閉じて製造される。
【００１５】
缶蓋３は図２に示すように、全体として大略円板状をなし中央部に缶胴の中心線１０に対して垂直をなす円板状のパネル部４を有し、パネル部４の外周縁部には円環板状の環状縁部５が設けられ、さらに環状縁部５の外周縁部にカール６が立ち上がっている。図２のパネル部４が開口の対象である。パネル部４と環状縁部５との境界に易開口スコア８が設けられている。つまり、環状線部５の内側がパネル部４を構成する。
【００１６】
パネル部４には後述するタブ１３の平面視直線をなす引張り方向２１の始端の開封開始領域１３から開封終了領域１４までにわたって非易開口スコア部９を残してパネル部４をほぼ１周して易開口スコア８が形成され、また易開口スコア８の内側には易開口スコア８に沿って副スコア１１が形成されている。パネル部４のうちの易開口スコア８の内側の部分が易開口スコアで分離される部分であるパネル部分すなわち開口片１２となる部分である。パネル部分である開口片１２の面積をパネル部４の面積の９９％以上とすると、広い開口を得ることができる。パネル部分である開口片１２の面積がパネル部４の面積の９９％である場合の数値例を図５に示す。
【００１７】
前述の通り易開口スコア８は開封開始領域１３で左右２手に分かれた左スコア８ａ、右スコア８ｂともに、それぞれパネル部４の反対側の外周縁に沿って半径Ｒの円弧状に形成され、開封終了領域１４では左右のスコア８ａ、８ｂの終端部１５（図２では終端部１５は二点鎖線で囲んで示してある。）が非易開口スコア部９をはさんで対向して位置する。
左右両スコア８ａ、８ｂの半径ｒの終端部１５は終端入り口部１６に始まって中央の反転部１７で向きを反転させ、ついで終端１８で終了している。左右の両スコア８ａ、８ｂの終端部１５の半径ｒは、他の部分の半径Ｒに比して小さい。
非易開口スコア部９は左右両スコア８ａ、８ｂの対向して位置する両終端１５の間に位置し、非易開口スコア部９にはタブ２０の引張り方向２１に直交する折り目線スコア２２が形成されている。
【００１８】
易開口スコア８の終端部１５と折り目線スコア２２とは接続しておらず、不連続である。ここで注意すべきことは終端部１５のスコアは全長にわたって切断に対する抵抗の大きさが一定ではなくて、終端入り口部１６から終端１８まで漸次切断に対する抵抗が大きくなっている。
この切断に対する抵抗の値を変化させるために、この実施例では各部分でスコアの残厚を漸増させており、この実施形態では図３に示すように、スコア残厚が終端入り口部１６で０．０９〜０．１１ｍｍ、好ましくは０．１０ｍｍ、反転部１７で０．１７〜０．１９ｍｍ、好ましくは０．１８ｍｍ、終端１８で０．２４〜０．２６ｍｍ、好ましくは０．２５ｍｍである。
【００１９】
易開口スコア８は終端部１５の直前までは、簡単に開口するよう、スコア残厚は、ほぼ一定に加工されている。只、易開口スコア８の切断が終端部１５で確実に停止して、非易開口スコア部９に切断が及ばないように、スコア端部の小径ｒ部分のスコア残厚は、漸増していることが重要である。
【００２０】
開封開始領域１３の近傍においてパネル部４にタブ２０がリベット２３によって取付けられており、タブ２０の前端部は尖端２７を構成して易開口スコア８の左右スコア８ａ、８ｂの分岐点の直上になるように配置されている。
またリベット２３の直下にはベント主スコア２４、ベント副スコア２５が設けられており、さらにタブ２０のプルリング２６の直下にはパネル部４が内側に凹入した凹形パネル２８が設けられてプルリング２６に指を差し入れる隙間を提供している。プルリング２６の素材はアルミニウムで構成してもよいが、この実施態様では熱伝導率の小さい材料例えばステンレス鋼で構成している。
【００２１】
このように構成した缶詰１を開缶させる場合には、タブ２０のプルリング２６を引き上げると、リベット２３を中心として尖端２７が下方に回転し開封開始領域１３の主スコア８を押し下げて初期開口を形成する。そのまま尖端２７を押し下げると初期開口は拡大する。この尖端２７の押し下げによるパネル部４の押し曲げ及び初期開口の拡大はベント主スコア２４、ベント副スコア２５が案内するので円滑に行なわれる。
【００２２】
初期開口の拡大が終了したら次にタブ２０のプルリング２６を引き上げるとパネル部４の開口片１２が追従して引き上げられ、易開口スコア８の左スコア８ａ、右スコア８ｂが引き切られて切断する。この引き切りが開封終了領域１４に達すると易開口スコア８の左スコア８ａ、右スコア８ｂの終端部１５の切断抵抗の漸増により、切断操作の終了を操作に予知させながら、ついに切断が反転部１７または終端１８に達して終了する。こうして缶蓋３には内容物の取出しが可能な大きな開口が形成される。
【００２３】
次いで形成された開口片１２を折り目線スコア２２を案内として外側に折り曲げれば、タブ２０は最も外側に位置することになるので、この最外側のタブ２０を把手として利用して缶詰を安定させて内容物を取り出すことができる。
【００２４】
缶詰を加熱して内容物を温める場合も、タブ２０と缶詰との間にはパネルの長い熱伝導経路をなす開口片１２があって伝熱量はそれほど大きくならないが、タブ２０をステンレス鋼材などの熱伝導率の小さい材料で構成すれば、タブ２０が高温になるのを一層容易にふせぐことができる。
【００２５】
（実施例）
缶詰のパネルを次の構成で実施したところ、次のような結果を得た。
【００２６】
Ａ  構成
缶蓋のパネルの材質、板厚、スコア残厚
１  元板厚  
表面アルミ板厚  ０．３０ｍｍ
２  スコア残厚
易開口スコア    ０．１０〜０．１２ｍｍ、好ましくは（０．１０５ｍｍ）
副スコア        ０．１６〜０．２０ｍｍ、好ましくは（０．１８ｍｍ）
ベント主スコア  ０．０８〜０．１１ｍｍ、好ましくは（０．０９ｍｍ）
ベント副スコア  ０．１５〜０．２０ｍｍ、好ましくは（０．１８ｍｍ）
折り目線スコア  ０．１５〜０．２５ｍｍ、好ましくは（０．１９ｍｍ）
以上の条件のスコアで実施したところ、
３  易開口スコアの終端部の残厚
入り口部(Ａ−Ａ断面部)残厚ｔＡ    ０．０９〜０．１１ｍｍ好ましくは(０．１０ｍｍ)
反転部(Ｂ−Ｂ断面部)残厚ｔＢ      ０．１７〜０．１９ｍｍ好ましくは(０．１８ｍｍ)
終端(Ｃ−Ｃ断面部)残厚ｔＣ        ０．２４〜０．２６ｍｍ好ましくは(０・２５ｍｍ)
【００２７】
Ｂ  実施結果
以上の条件のパネルを使用して缶詰を製作して開口試験を行ったところ、
（１）スコアは終端部まで容易に切断した。
（２）終端部で切断は終了し、他の部分に切断が及ぶことはなかった。
（３）終端部では切断抵抗が漸増し、切断操作の終了が近いことを予見できて力の加減をすることができた。
（４）開口片は折り目線スコア２２を案内として正しく折り曲げることができ、把手を容易に形成することができた。
【００２８】
以上の説明から明らかな通り、この発明によれば缶蓋のパネル部を広い範囲に渡って易開口させることができて内容物の取り出しが容易であり、タブ・パネルを把手として安全に利用することができるとともに、タブ・パネルが缶蓋から分離することを確実に防ぐことができ、かつ構造が簡単な易開口缶蓋を得ることができる。
【図面の簡単な説明】
【００２９】
【図１】缶詰を開口した状態を示す斜視説明図
【図２】缶蓋の平面図
【図３】缶蓋パネル部の主スコアと折り目線スコアを示す説明図
【図４】易開口スコアの終端部を示す説明図
【図５】パネル部分の数値例を示す説明図
【符号の説明】
【００３０】
１    缶詰
２    缶胴
３    缶蓋
４    パネル部
５    環状縁部
６    カール
８    易開口スコア
８ａ  左スコア
８ｂ  右スコア
９    非易開口スコア部
１０  缶胴の中心線
１１  副スコア
１２  開口片
１３  開封開始領域
１４  開封終了領域
１５  終端部
１６  終端入り口部
１７  反転部
１８  終端
２０  タブ
２１  引張り方向
２２  折り目線スコア
２３  リベット
２４  ベント主スコア
２５  ベント副スコア
２６  プルリング
２７  尖端
２８  凹形パネル
【図１】
2009173297.tif 000003
【図２】
2009173297.tif 000004
【図３】
2009173297.tif 000005
【図４】
2009173297.tif 000006
【図５】
2009173297.tif 000007